(57)【要約】【課題】  本発明は記憶媒体に記憶されたデジタル画像等に基づく写真画像を印刷する写真印刷自動販売機に関し、特に写真印刷自動販売機に表示される選択画像をモザイク等によって他者が認識できない状態とし、後方から盗み見等に対して安心して利用できる写真印刷自動販売機を提供することである。【解決手段】  本発明は写真印刷自動販売機に関し、サムネイル画像の表示を行い、印刷画像を選択する際、全ての画像をモザイクによって他の利用者が認識できない状態とし、他人の盗み見を防止して利用者のプライバシーを確保する。一方、利用者が例えば指で指定した画像のモザイクを外すことが可能な構成とすることによって、利用者による画像の確認を容易にすると共に、プライバシーの確保を維持する構成である。【選択図】  図５
2005134568.tif 000002
【特許請求の範囲】
【請求項１】
写真印刷自動販売機において、
選択画像の表示を行う表示手段と、
該表示手段に表示する選択画像を認識不可能にする画像処理手段と、
前記画像処理を施した選択画像に基づいて印刷画像を選択する選択手段と、
を有することを特徴とする写真印刷自動販売機。
【請求項２】
選択画像を認識不可能にする前記画像処理手段は、選択画像にモザイク処理を施すことを特徴とする請求項１記載の写真印刷自動販売機。
【請求項３】
前記選択画像を認識不可能にする画像処理を施すか否かの選択手段を有し、該選択手段が操作された時前記画像処理手段が前記選択画像を認識不可能にする画像処理を行うことを特徴とする請求項１、又は２記載の写真印刷自動販売機。
【請求項４】
前記選択画像の一部を指定することによって、該一部の前記画像処理が解除されることを特徴とする請求項１、２、又は３記載の写真印刷自動販売機。
【請求項５】
前記選択画像の範囲を指定することによって、該範囲の前記画像処理が解除されることを特徴とする請求項１、２、又は３記載の写真印刷自動販売機。
【発明の詳細な説明】
【技術分野】
【０００１】
本発明は記憶媒体に記憶されたデジタル画像、及びネットワークを介して供給されたデジタル画像に基づく写真画像を印刷する写真印刷自動販売機に関する。
【背景技術】
【０００２】
今日、印刷装置として写真印刷自動販売機が提案されている。例えば、街角やオフィスビルの建物内等に上記写真印刷自動販売機を設置し、利用者はデジタルカメラやカメラ付き携帯電話機などで撮影した写真画像を記録媒体に記録し、当該記録媒体を写真印刷自動販売機のスロットに装着して読み込ませ、写真画像の選択、サイズの設定、印刷枚数等を指定し、料金を投入して希望する写真を印刷出力させる。
【０００３】
例えば、図１６は上記システムを説明する図であり、デジタルカメラやカメラ付き携帯電話機等で撮影した写真画像をメモリーカード等の記録媒体に記録し、又パーソナルコンピュータで編集した写真画像を記録媒体に記録し、写真印刷自動販売機の対応するスロットに装着し、上記写真画像の選択、サイズの設定、印刷枚数等を行い、料金を投入することによって希望する写真を印刷出力させる。
【０００４】
一方、特許文献１にはメモリーカード等の記録媒体の有無に関係なく、ネットワークに接続された写真印刷自動販売機に対し写真画像を送信し、利用者の操作によって印刷出力を行う印刷システムが開示されている。
【特許文献１】特開２００３−１６８１６０号公報
【発明の開示】
【発明が解決しようとする課題】
【０００５】
しかしながら、写真印刷自動販売機を使用する理由として、画像が綺麗であり、印刷時間が早く、画像選択が簡単であるという点も重要であるが、店員と接触せず、自らの印刷物を他人に見られないという理由もある。写真画像には多くの人々と共有する情報を持つ画像が存在する一方、プライベートな情報を持つ画像もあり、そのようなプライベートな情報を持つ画像は他人に見られたくないものである。
【０００６】
この為、店員に写真画像が見られる一般の写真現像は敬遠され、写真印刷自動販売機が使用される。しかし、写真印刷自動販売機においても、順番待ちや写真画像の選択時に無防備な状態となり、後方から盗み見される危険もあり、安心して利用できる状態になっていない。
【０００７】
本願発明は、このような問題を解決すべく提案されたものであり、写真印刷自動販売機に表示される選択画像をモザイク等によって他者が認識できない状態とし、後方から盗み見等に対して安心して利用できる写真印刷自動販売機を提供することにある。
【課題を解決するための手段】
【０００８】
上記課題は本発明によれば、写真印刷自動販売機において、選択画像の表示を行う表示手段と、該表示手段に表示する選択画像を認識不可能にする画像処理手段と、前記画像処理を施した選択画像に基づいて印刷画像を選択する選択手段とを有する写真印刷自動販売機を提供することによって達成できる。
【０００９】
ここで、上記画像処理手段が行う選択画像の認識不能処理は、例えばモザイク処理であり、ボカシ処理であり、ノイズ付加処理である。
このように構成することにより、写真印刷自動販売機の表示手段に表示される画像は、例えば後方に並ぶ他の写真印刷自動販売機の利用者が見ても認識できない画像となり、利用者のプライバシーを確実に確保することができる。
【００１０】
また、本発明の写真印刷自動販売機は、前記選択画像を認識不能にする画像処理を施すか否かの選択手段を有し、該選択手段が操作された時前記画像処理手段が前記選択画像を認識不能にする画像処理を行う構成である。
ここで、上記選択手段は、例えばモザイクやボカシ処理を行うか否かを決定するボタンやタッチスイッチ等であり、このような選択手段を操作して表示手段に表示される画像を認識不能にするか否かを決定し、例えば利用者の意思や周囲の状況によって何れにも設定可能とするものである。
【００１１】
また、前記選択画像の一部を指定することによって、該一部の前記画像処理が解除される構成である。
このように構成することにより、プライバシーが侵害されない範囲でモザイクやボカシ処理を部分的に解除し、利用者の画像指定を容易にする構成である。
【００１２】
さらに、前記選択画像の範囲を指定することによって、該範囲の前記画像処理が解除される構成である。
このように構成することにより、利用者はモザイクやボカシ処理を解除する範囲を自由に設定でき、プライバシーを確保しつつ、利用者に対してより容易に画像選択を行わせる構成である。
【発明の効果】
【００１３】
本発明はこのように構成することにより、画像選択時等において、他の利用者による盗み見を防止し、写真印刷を安心して行うことができる写真印刷自動販売機を提供するものである。
また、必要に応じて画像を選択し、例えば他人に盗み見されない状況である場合にはモザイク等の処理を外すこともできる。
【００１４】
さらに、利用者がモザイク等を掛ける範囲を指定し、画像選択に必要な範囲でモザイク等の処理を行う写真印刷自動販売機とすることができる。
【発明を実施するための最良の形態】
【００１５】
以下、本発明の実施の形態を図面を参照しながら説明する。
（実施形態１）
先ず、本発明の実施形態１について説明する。
【００１６】
図１は、本実施形態に係わる写真印刷自動販売機の外観構成を示す図である。同図に示す写真印刷自動販売機１は、街角や小売店、スーパー、写真店、観光地の店舗、テーマパーク、映画館、オフィスビルの建物内等に設置されている。
写真印刷自動販売機１の正面には、表示／操作部（ディスプレイ＆タッチパネル）２、記憶媒体挿脱口３、料金操作部４、及び写真受取口５が設けられている。表示／操作部（ディスプレイ＆タッチパネル）２は、例えば液晶ディスプレイ６と、液晶ディスプレイ６に表示されるキーや、ボタン、アイコン等を選択する不図示の操作部で構成されている。表示／操作部（ディスプレイ＆タッチパネル）２には、例えばデジタルカメラ等で撮影した画像情報が、サムネイル表示され、また印刷枚数指定用アイコン等の各種の情報が表示される。
【００１７】
また、表示／操作部（ディスプレイ＆タッチパネル）２の上記表示に従って、例えばユーザは印刷枚数の指定操作などを行う。記憶媒体挿脱口３は、デジタル画像情報を記憶する上述のコンパクトフラッシュ（登録商標）カードやスマートメディア、ＳＤカード、メモリースティック、フロッピィディスク、ＰＣカード、光磁気ディスク、コンパクトディスクＲＯＭ（ＣＤ−ＲＯＭ）、コンパクトディスクレコーダブル（ＣＤ−Ｒ）等の記憶媒体の挿入口であり、上記記憶媒体には例えばデジタルカメラ等で撮影したデジタル画像情報が複数の単位画面情報として書き込まれている。また、上記記憶媒体に書き込まれたデジタル画像の情報は、スキャナ等から読み出したイメージデータをデジタル画像データに変換したデータであってもよい。
【００１８】
記憶媒体挿脱口３の直下には、作業テーブル７が手前に突出して設けられており、例えばデジタルカメラ本体の載置等に利用できる。この作業テーブル７の下部には例えば引き出し７ａが図１の矢視方向に挿脱自在に設けられ、後述する本例の記憶媒体取り出し具等のメンテナンス部品の収納部として利用される。
【００１９】
料金操作部４は本例の装置を有料で使用する場合の構成であり、料金挿入口である紙幣挿入口４ａや硬貨投入口４ｂから料金を入金する。また、４ｃは返却レバー、４ｄは料金返却口であり、釣り銭がある時当該料金返却口４ｄから釣り銭が返却される。また、料金返却口４ｄの下方にはレシート排紙口８も配設されている。
【００２０】
写真受取口５は印刷出力を取り出すボックスであり、複数枚の印字用紙が出力される。また、この写真受取口には、例えば小型の簡易アルバム等の付加部材も出力される。
図２は上記外観構成の写真印刷自動販売機１について、内部のシステム構成を説明する図である。本システムはプロセッサ１１を中心に周辺回路を含む制御部１２と、プリンタ部１３で構成されている。プロセッサ１１は内部にＣＰＵを有し、プログラムに従って本例の写真印刷自動販売機１の制御処理を行う。また、プロセッサ１１には記憶部１４が接続され、この記憶部１４に記憶されたプログラムに従って印刷処理を行う。
【００２１】
さらに、プロセッサ１１にはディスプレイ制御部１５、ディスプレイ＆タッチパネル制御部１６、メディアインターフェイス１７、金銭制御部１８、及び通信部１９が接続されている。ディスプレイ制御部１５は上述の表示／操作部（ディスプレイ＆タッチパネル）２に表示する表示情報の出力制御を行い、プロセッサ１１から出力される表示情報を表示／操作部（ディスプレイ＆タッチパネル）２に表示する。また、ディスプレイ＆タッチパネル制御部１６は、ユーザによるキー操作に従った操作信号をプロセッサ１１に出力する。
【００２２】
また、メディアインターフェイス１７は、上述の記憶媒体挿脱口３に挿入されるコンパクトフラッシュ（登録商標）カードや、スマートメディア、ＳＤカード、メモリースティック、フロッピィディスク等からデジタル画像情報を読み出し、プロセッサ１１へ出力制御するインタフェースである。
【００２３】
また、金銭制御部１８は上述の紙幣挿入口４ａや硬貨投入口４ｂから入金された料金を計算し、指定された印刷枚数に対応する料金であることを確認する。また、プロセッサ１１から各種モードの指定があり、この指定に従って処理を行う。また、釣り銭の管理等も行う。尚、プリンタ部１３は、例えば不図示の複数台のプリンタユニットで構成され、各プリンタユニットが同じ構成であり、同時に画像データを印刷処理することによって、高速印刷を行う構成である。
【００２４】
このような構成の写真印刷自動販売機１において、図３は本例の基本動作を説明するフローチャートである。先ず、写真印刷自動販売機１を利用したいユーザは、例えばデジタルカメラ等で撮影した写真画像を記録したメモリーカード等の記憶媒体を単独で、又はデジタルカメラと共に写真印刷自動販売機１の設置場所に持ち込み、記憶媒体を記憶媒体挿脱口３に挿入する（ステップ（以下、ＳＴで示す）１）。
【００２５】
次に、液晶ディスプレイ６に表示されるキーや、ボタンを操作して印刷方法を選択し、所望する印刷画像を選択する（ＳＴ２、ＳＴ３）。そして、選択した印刷画像を確認し、金銭投入を行い（ＳＴ４、ＳＴ５）、写真受取口５から印刷結果である写真を取り出し、更にメモリーカードを取り出す（ＳＴ６、ＳＴ７）。
【００２６】
上記基本処理に対して、本例では上記図３で説明した画像選択処理（ＳＴ３）を以下の処理によって作成した選択画像に基づいて行う。すなわち、液晶ディスプレイ６に表示される写真画像は図４に示す処理が行われた画像であり、モザイク等の画像処理が行われた画像の表示を行う（図４に示すステップ１）。尚、ここで、モザイク処理以外に写真画像を認識不可能にする画像処理としては、例えばノイズ付加処理やボカシ処理等がある。
【００２７】
図５はこのような処理が行われた選択画像（サムネイル画像）の例であり、液晶ディスプレイ６に画像表示される部分にはモザイク処理が施され、オリジナル画像を知らない者にとって詳細の分からない画像が表示される。
写真印刷自動販売機１の利用者は、同図に示す「前ヘ」又は「次ヘ」のボタン操作を行い、サムネイル画像の中の希望する画像を指定し、更に「Ｌ版」又は「２Ｌ版」のボタンによって写真画像のサイズを指定し、「ＯＫ」ボタンを操作して写真画像の選択等の処理を行う。
【００２８】
上記選択操作の間、液晶ディスプレイ６に表示される画像はモザイク処理されており、例えば後ろに並ぶ利用者に選択画面を見られても画像の詳細は分からない状態である。したがって、利用者のプライバシーは確実に保護される。
尚、図６に示す処理は、利用者が画像の内容を全く確認できない不便さを改良するものである。この処理は、先ずモザイクボタンの操作を行い、サムネイル画像をモザイク画像として表示するか、又はモザイクのない画像として表示するか決定する。この処理は、図７及び図８に示す左下のボタン、即ちモザイクの「ＯＮ」ボタン又は「ＯＦＦ」ボタンを操作することによって指定する。
【００２９】
ここで、モザイク「ＯＮ」ボタンが操作された場合（ステップ（以下、ＳＴＰで示す）１がオン）、サムネイル画像にモザイク処理を施して画像表示を行う（ＳＴＰ２）。一方、モザイク「ＯＦＦ」ボタンが操作された場合（ＳＴＰ１がオフ）、モザイク処理を施すことなく画像表示を行う（ＳＴＰ３）。
【００３０】
尚、図７はモザイク処理を施さない選択画像の表示を示し、図８はモザイク処理を施した選択画像の表示を示す。このように構成することにより、例えば写真印刷自動販売機１を使用して印刷処理を行う際、後方に他人がいない等、盗み見される心配がない場合、モザイク処理のない図７に示す選択画像を使用し、利用者に印刷画像の選択を容易に行わせることができる。一方、後方に他人が印刷待ちしている場合には、上記のようにモザイク処理を行い、図８に示す選択画像を使用して利用者のプライバシーを保護する。
（実施形態２）
次に、本発明の実施形態２について説明する。
【００３１】
図９は本例を説明するフローチャートである。先ず、前述の実施形態で説明したように、モザイク処理された選択画像を液晶ディスプレイ６に表示する（ステップ（以下、Ｓで示す）１）。
次に、利用者が写真画像を選択すると（Ｓ２がＹＥＳ）、選択された写真画像にモザイク処理が施されているか判断する（Ｓ３）。ここで、既に選択された写真画像にモザイク処理が施されていれば（Ｓ３が有り）、当該写真画像のモザイク処理を外し、表示を行う（Ｓ４）。一方、選択された写真画像にモザイク処理が施されていなければ（Ｓ３が無し）、当該写真画像にモザイク処理を施し、表示を行う（Ｓ５）。
【００３２】
以上のように、モザイク処理が施されている場合、指定された写真画像のモザイクを解除し、例えば利用者の写真画像の判別を容易にするものである。一方、モザイクが解除される写真画像は、更に利用者が指定することによってモザイクを施し、以後確実にプライバシーを保護することができる。
（実施形態３）
次に、本発明の実施形態３について説明する。
【００３３】
本例はモザイク処理が施された画像の一部のモザイクを外し、利用者による画像の確認を容易に行わせる構成である。図１０は本例を説明するフローチャートである。
先ず、前述のように選択画像を表示した後、利用者が画像に触れたか判断する（ステップ（以下、Ｗで示す）１）。ここで、利用者が画像に触れると（Ｗ１がＹＥＳ）、定型のモザイク外し部を表示する（Ｗ２）。
【００３４】
図１１（ａ）は選択画像の中のある画像に触れる直前の状態を示し、同図（ｂ）は当該画像に触れた状態を示す。この場合、同図（ｂ）に示すように、利用者が触れた画像の定型範囲のモザイクが外れ、利用者が画像を認識できる状態になる（Ｗ２）。
次に、例えば利用者の指が当該画像の範囲外に触れたか判断する（Ｗ３）。ここで、利用者の指が当該画像の範囲外に触れた場合（Ｗ３がＹＥＳ）、定型範囲のモザイクが外れた画像に再度モザイクを施す（Ｗ４）。すなわち、この場合、他の画像を選択する為、当該画像外の画像に触れたものであり、前述の図１１（ｂ）の表示状態を同図（ａ）の表示状態に戻す。
【００３５】
一方、利用者の指が当該画像以外の画像に触れることなく（Ｗ３がＮＯ）、当該画像の他の部分に触れた場合（Ｗ５がＹＥＳ）、触れた位置のモザイク外しを行う。すなわち、図１１（ｂ）に示す状態において、利用者が当該画像内の他の位置を指定すると、新たに指定された位置の定型範囲のモザイクが外される。
【００３６】
このように構成することにより、例えば利用者が定型範囲のモザイク外しの状態では画像を認識できない場合、更に他の位置を指定することによってモザイクが外され、利用者による画像の確認を容易にするものである。
（実施形態４）
次に、本発明の実施形態４について説明する。
【００３７】
本例はモザイク外しの範囲を指定し、指定した範囲の画像のモザイクを外す構成である。図１２は本例を説明するフローチャートである。
前述のように選択画像を表示した後、本例においても、先ず利用者が画像に触れたか判断する（ステップ（以下、Ｕで示す）１）。そして、利用者が画像に触れると（Ｕ１がＹＥＳ）、更に利用者が指を離したか判断する（Ｕ２）。
【００３８】
ここで、利用者が指を離したのであれば（Ｕ２がＹＥＳ）、前述のように定型のモザイク外し部を表示する（Ｕ３）。尚、この表示は前述の図１１（ｂ）と同様である。
一方、利用者が指を離さない場合（Ｕ２がＮＯ）、利用者が指を移動し、ドラックしているか判断する（Ｕ４）。尚、ドラックしていなければ（Ｕ４がＮＯ）、上記指の離れの判断に戻る（Ｕ２）。
【００３９】
ここで、利用者が指を移動し、ドラックしていれば（Ｕ４がＹＥＳ）、定型のモザイク外しの範囲を拡大処理、又は縮小処理する（Ｕ５）。図１３は利用者が指を移動し、ａ位置からｂ位置までドラッグした状態を示す図である。
次に、この状態において指を離すと（Ｕ６がＹＥＳ）、上記拡大又は縮小処理した範囲のモザイク外しを行い、表示する（Ｕ７）。例えば、図１３に示す円内は拡大された範囲のモザイク外し領域を示す。したがって、この場合この円内の画像がモザイク外しされて表示される。
【００４０】
その後、利用者の指が当該画像の範囲外に触れたか判断する（Ｕ８）。ここで、利用者の指が当該画像の範囲外に触れた場合（Ｕ８がＹＥＳ）、モザイクが外れた画像に再度モザイクを施す（Ｕ９）。この場合、例えば他の画像を選択する為、当該画像外の画像に触れたものであり、モザイクが外れた画像に再度モザイクを施すものである。
【００４１】
一方、利用者の指が当該画像以外の画像に触れることなく（Ｕ８がＮＯ）、当該画像の他の部分に触れた場合（Ｕ１０がＹＥＳ）、触れた位置にモザイク外し部を表示する（Ｕ１１）。
次に、上記指の移動がドラッグを行っているものであるか判断する（Ｕ１２）。例えば、図１４に示すようにドラッグを行っていれば（Ｕ１２がＹＥＳ）、モザイク外しの範囲を移動し、指を離したか判断する（Ｕ１３、Ｕ１４）。ここで、指が離れなければ（Ｕ１４がＮＯ）、上記判断を継続し、指が離れると（Ｕ１４がＹＥＳ）、判断（Ｕ８）移行する。そして、指が当該画像外に触れるのを待って外したモザイク領域に再度モザイクを施す（Ｕ８がＹＥＳ、Ｕ９）。
【００４２】
以上のように処理することによって、利用者は自己が確認したい写真画像の領域を指定してモザイク外しを行うことができ、極めて効率よく、かつ他の利用者から盗み見されることなくプライバシーを確保した印刷画像の選択処理を行うことができる。
尚、本例においても、写真画像の詳細を隠す手段としてモザイクを使用したが、モザイクに限らず、ノイズを乗せ、又はボカシを入れる等の他の手段を使用する構成としてもよい。
【００４３】
また、図１５は、同図（ａ）に示すモザイク状態において、同図（ｂ）に示すように、指で触れた位置の上にモザイク外し部が生成される例であり、このように構成することにより、指が邪魔にならずに画像の確認を行うことができる。
【図面の簡単な説明】
【００４４】
【図１】本発明に係わる写真印刷自動販売機の外観構成を示す図である。
【図２】図１の写真印刷自動販売機の内部のシステム構成を説明する図である。
【図３】基本動作を説明するフローチャートである。
【図４】選択画像に対してモザイク等の画像処理を行う際の処理を説明するフローチャートである。
【図５】モザイク処理が行われた選択画像の例を説明する図である。
【図６】実施形態１の他の処理を説明するフローチャートである。
【図７】モザイク処理を施さない選択画像の表示例を示す図である。
【図８】モザイク処理を施した選択画像の表示例を示す図である。
【図９】実施形態２の処理を説明するフローチャートである。
【図１０】実施形態３の処理を説明するフローチャートである。
【図１１】（ａ）、（ｂ）は、実施形態３の処理を説明する図である。
【図１２】実施形態４の処理を説明するフローチャートである。
【図１３】実施形態４の処理を説明する図である。
【図１４】実施形態４の処理を説明する図である。
【図１５】実施形態４の処理を説明する選択画像の表示例を示す図である。
【図１６】写真印刷自動販売機を使用する印刷システムの概要を説明する図である。
【符号の説明】
【００４５】
１・・・写真印刷自動販売機
２・・・表示／操作部（ディスプレイ＆タッチパネル）
３・・・記録媒体挿脱口
３ａ・・・記憶媒体装填部
４・・・料金操作部
４ａ・・・紙幣挿入口
４ｂ・・・硬貨投入口
４ｃ・・・返却レバー
４ｄ・・・料金返却口
５・・・写真受取口
６・・・液晶ディスプレイ
７・・・作業テーブル
７ａ・・・引き出し
８・・・レシート排紙口
１１・・・プロセッサ
１２・・・制御部
１３・・・プリンタ部
１４・・・記憶部
１５・・・ディスプレイ制御部
１６・・・ディスプレイ＆タッチパネル制御部
１７・・・メディアインターフェイス
１８・・・金銭制御部
１９・・・通信部
【図１】
2005134568.tif 000003
【図２】
2005134568.tif 000004
【図３】
2005134568.tif 000005
【図４】
2005134568.tif 000006
【図５】
2005134568.tif 000007
【図６】
2005134568.tif 000008
【図７】
2005134568.tif 000009
【図８】
2005134568.tif 000010
【図９】
2005134568.tif 000011
【図１０】
2005134568.tif 000012
【図１１】
2005134568.tif 000013
【図１２】
2005134568.tif 000014
【図１３】
2005134568.tif 000015
【図１４】
2005134568.tif 000016
【図１５】
2005134568.tif 000017
【図１６】
2005134568.tif 000018